(57)【特許請求の範囲】
【請求項１】
乳幼児の左右両耳の外耳道に挿入される弾力性を有する素材で形成された誤食誤飲防止可能な乳幼児用耳栓で有って、角形で有る錐頭円柱で設ける中実又は中空の細状突起部と、前記細状突起部と一体型に設けられ、細状突起部の底の直径よりも大きな上底及び下底とする角形で有る円錐台で設ける袋部と、一体型の耳栓が乳幼児の口腔内に入り込んだ際に瞬時に強烈な苦みを感じて、吐き出させるために塗布したデナトニウムベンゾエイトで設ける苦味物質と、気道確保用の穴を細状突起部と袋部に数か所設ける通気口とを有し、耳栓より連なる紐部の末端に形成された誤食誤飲防止可能な留め具で有って、角形で有る四角柱で設けられ、留め具が乳幼児の口腔内に入り込んだ際に瞬時に強烈な苦みを感じて、吐き出させるために塗布したデナトニウムベンゾエイトで設ける苦味物質と、気道確保用の穴を留め具に数か所設ける通気口とを有し、乳幼児がうつ伏せになった際に胸やお腹の辺りで膨らみによる痛みを防止する平坦な留め具を有する、乳幼児の耳栓の誤食誤飲防止の安全対策の徹底を特徴とする乳幼児用耳栓。
【請求項２】
耳栓より連なる紐部に、紐部が中を通る用に取り巻く生地を設けた請求項１記載の乳幼児用耳栓。
【発明の詳細な説明】
【技術分野】
【０００１】
本発明は、眠りの浅い乳幼児が睡眠中に不必要な騒音にて驚くと共に、目覚めないように装着する乳幼児専用の遮音耳栓で有ると共に、乳幼児の耳栓装着時による耳栓の誤食誤飲防止の安全対策の徹底を図る乳幼児用耳栓に関する。
【背景技術】
【０００２】
乳幼児においては生まれたばかりの新生児ほど浅い眠りが多く大人と比較し、小さい物音や少しの衝撃でも直に目を覚ましやすいのが特長で有る。
このため、呼び鈴、テレビ音、電話の着信音等の生活音、外出時の多種多様な騒音において選別することができず、特に睡眠中においては異常音として目を覚ますと共に、泣き騒ぎ、育児奮闘中の親は又一からの寝かし付けに苦労すると共に家事や内職に支障を来し、又、親自身の自由な時間を設けることが困難で有った。
【０００３】
耳栓は大人用の遮音耳栓や子供用の防水耳栓が種種提案されているが、乳幼児専用の遮音耳栓で且つ、乳幼児の耳栓装着時による耳栓の誤食誤飲防止の安全対策の徹底に取り組んだ商品は市場にて見受けられない。
乳幼児用の遮音耳栓で特許文献１が存在するが、特許文献１の耳栓本体は乳幼児が耳栓を誤食誤飲した場合、口腔内から取り出しにくい丸形で形成しており、耳栓本体から連なる伸長用ゴム紐は紐単体のため耳栓本体が乳幼児の口腔内に入る問題点が有る。（特許文献１参照）
【０００４】
【特許文献１】登録実用新案第３１７４９２６号
【発明の概要】
【発明が解決しようとする課題】
【０００５】
本発明は、上記の欠点を解消した乳幼児専用の遮音耳栓による誤食誤飲防止の安全対策の徹底を図る課題を解決する。
【課題を解決するための手段】
【０００６】
本発明は、乳幼児の左右両耳の外耳道に挿入される弾力性を有する素材で形成された誤食誤飲防止可能な乳幼児用耳栓で有って、角形で有る錐頭円柱で設ける中実又は中空の細状突起部と、前記細状突起部と一体型に設けられ、細状突起部の底の直径よりも大きな上底及び下底とする角形で有る円錐台で設ける袋部と、一体型の耳栓が乳幼児の口腔内に入り込んだ際に瞬時に強烈な苦みを感じて、吐き出させるために塗布したデナトニウムベンゾエイトで設ける苦味物質と、気道確保用の穴を細状突起部と袋部に数か所設ける通気口とを有する乳幼児の耳栓の誤食誤飲防止の安全対策の徹底を特徴とするもので有る。
【０００７】
更に本発明は、耳栓より連なる紐部に、紐部が中を通る用に取り巻く生地を設けたことを特徴とするもので有る。
【０００８】
又、本発明は、耳栓より連なる紐部の末端に形成された誤食誤飲防止可能な留め具で有って、角形で有る四角柱で設けられ、留め具が乳幼児の口腔内に入り込んだ際に瞬時に強烈な苦みを感じて、吐き出させるために塗布したデナトニウムベンゾエイトで設ける苦味物質と、気道確保用の穴を留め具に数か所設ける通気口とを有し、乳幼児がうつ伏せになった際に胸やお腹の辺りで膨らみによる痛みを防止する平坦な留め具を有することを特徴とするもので有る。
【０００９】
【００１０】
【００１１】
【００１２】
【００１３】
【００１４】
【００１５】
【００１６】
【発明の効果】
【００１７】
請求項１により、眠りの浅い乳幼児が睡眠中に不必要な騒音にて驚くと共に、目覚めないように装着する乳幼児専用の遮音耳栓で有ると共に、乳幼児の耳栓装着時による耳栓の誤食誤飲防止の安全対策の徹底を図ることができる。
【００１８】
又、乳幼児の左右両耳の外耳道に挿入される細状突起部は、大人の３分の１の厚さで有る乳幼児の外耳道に適した弾力性を有するシリコン系樹脂や発泡ウレタン又はゴム全般で形成され、中実又は中空で丸形ではない角形の有る錐頭円柱や四角柱で設けることにより乳幼児の口腔内に耳栓本体が入り込んだ場合に備えて喉の奥深くまで過度に入り込まなく又、取り出しやすくする誤食誤飲防止を図ることができる。
【００１９】
又、細状突起部と一体型に設けられる左右一対の袋部は、大人の３分の１の厚さで有る乳幼児の外耳道に適した弾力性を有するシリコン系樹脂や発泡ウレタン又はゴム全般で形成され、挿入口を設けることにより大人が細状突起部の挿脱を容易に行えると共に、細状突起部が乳幼児の外耳道に過度に挿入されることがない役目を果たすことができる。又、丸形ではない角形の有る円錐台で設けることにより乳幼児の口腔内に耳栓本体が入り込んだ場合に備えて喉の奥深くまで過度に入り込まなく又、取り出しやすくする誤食誤飲防止を図ることができる。
【００２０】
又、乳幼児の左右両耳の外耳道に挿入される細状突起部と、前記細状突起部と一体型に設けられる左右一対の袋部は、人体には無害で且つ、健康には影響の無い食品添加物で有るデナトニウムベンゾエイトの苦味物質を塗布することにより乳幼児の口腔内に耳栓本体が入り込んだ場合に備えて瞬時に強烈な苦みを感じることができ、吐き出しやすくする誤食誤飲防止を図ることができる。
【００２１】
又、乳幼児の左右両耳の外耳道に挿入される細状突起部と、前記細状突起部と一体型に設けられる左右一対の袋部は、気道確保用の通気口を複数空けることにより乳幼児の口腔内に耳栓本体が入り込んだ場合に備えて空気の通る道を確保し、窒息しないようにする誤食誤飲防止を図ることができる。
【００２２】
請求項２により、左右一対の袋部のそれぞれの側端より互いに連結する紐部は、平坦且つ幅広いゴム紐で設けることにより紐部が乳幼児の指や手、又は腕に巻き付いた際、血が通わなくならないよう対処できると共に、乳幼児の口腔内に紐部が入り込んだ場合に備えて取り出しやすくする誤食誤飲防止を図ることができる。
【００２３】
又、左右一対の袋部のそれぞれの側端より互いに連結する紐部は、紐部を一部又は全部を乳幼児の肌に優しいガーゼ等の生地全般で取り巻くことにより中の紐部が乳幼児の指や手、又は腕に巻き付くことを防ぐと共に、乳幼児の口腔内に耳栓本体と紐部が入り込んだ場合に備えて取り出しやすくする誤食誤飲防止を図ることができる。
【００２４】
又、左右一対の袋部のそれぞれの側端より互いに連結する紐部は、生地と共に裁縫糸全般で取り付けることにより紐部が生地から外れることを防ぐと共に、乳幼児の口腔内に耳栓本体と紐部が入り込んだ場合に備えて取り出しやすくする誤食誤飲防止を図ることができる。
【００２５】
又、連結する紐部の中央部に設けられる留め具は、耳栓本体と連結している紐部が共に外れた際の落下防止又は紛失防止となり、平坦な留め具で設けることにより乳幼児がうつ伏せになった際には胸やお腹の辺りで留め具の膨らみによる痛みを感じることを防ぐことができる。
又、丸形ではない角形の有る四角柱で設けることにより乳幼児の口腔内に留め具が入り込んだ場合に備えて喉の奥深くまで過度に入り込まなく又、取り出しやすくする誤食誤飲防止を図ることができる。
【００２６】
又、連結する紐部の中央部に設けられる留め具は、人体には無害で且つ、健康には影響の無い食品添加物で有るデナトニウムベンゾエイトの苦味物質を塗布することにより乳幼児の口腔内に留め具が入り込んだ場合に備えて瞬時に強烈な苦みを感じることができ、吐き出しやすくする誤食誤飲防止を図ることができる。
【００２７】
又、連結する紐部の中央部に設けられる留め具は、気道確保用の通気口を複数空けることにより乳幼児の口腔内に留め具が入り込んだ場合に備えて空気の通る道を確保し、窒息しないようにする誤食誤飲防止を図ることができる。
【図面の簡単な説明】
【００２８】
【図１】本発明の実施の形態における乳幼児の睡眠中の状態を示す斜視図。
【図２】同実施の形態における耳栓本体の細状突起部が中実の拡大断面図。
【図３】同実施の形態における耳栓本体の細状突起部が中空の拡大断面図。
【図４】同実施の形態における耳栓本体の使用状態を示す拡大断面図。
【図５】同実施の形態における左右の耳栓本体を連結した全体図。
【発明を実施するための形態】
【００２９】
以下本発明を実施形態の図面に基づいて説明する。
図１は乳幼児Ｃの睡眠中の状態を示す斜視図で有って、耳栓本体１が乳幼児の耳Ｃａに挿入されている。
この左右一対の袋部３のそれぞれの側端より互いに連結する紐部６は生地７が取り巻かれ、糸８で取り付けて有り、連結される紐部６の中央部に乳幼児Ｃの衣服やよだれ掛け等に留め具９を設けている。
【００３０】
図２・図３の耳栓本体１は、乳幼児の外耳道Ｃｃに適した弾力性を有するシリコン系樹脂や発泡ウレタン又はゴム全般にて形成されており、図２の中実、又は図３の中空で有る細状突起部２とこれに設けられる左右一対の袋部３で一体型に形成している。
又、図２・図３の細状突起部２は丸形ではない角形の有る錐頭円柱や四角柱で設けられ、袋部３は丸形ではない角形の有る円錐台で設けることにより乳幼児Ｃの口腔内に耳栓本体１が入り込んだ場合に備えて喉の奥深くまで過度に入り込まなく又、取り出しやすくすることができるよう形成している。
【００３１】
図２・図３の耳栓本体１で有る細状突起部２と袋部３は共に人体には無害で且つ、健康には影響の無い食品添加物で有るデナトニウムベンゾエイトの苦味物質４を塗布することにより乳幼児Ｃの口腔内に耳栓本体１が入り込んだ場合に備えて瞬時に強烈な苦みを感じることができ、吐き出しやすくすることができるよう形成している。
【００３２】
図２・図３の耳栓本体１で有る細状突起部２と袋部３は共に気道確保用の通気口５を複数空けることにより乳幼児Ｃの口腔内に耳栓本体１が入り込んだ場合に備えて空気の通る道を確保し、窒息しないようにすることができるよう形成している。
【００３３】
図４は耳栓本体１を乳幼児Ｃの外耳道Ｃｃに挿脱する図で有って、左右一対の袋部３の挿入口を設けることにより、大人の指先Ｈと大人の親指Ｈａで摘まむことができ、細状突起部２の挿脱が容易に行えると共に、細状突起部２が乳幼児の外耳道Ｃｃに過度に挿入されることがない。
又、耳栓本体１に紐部６と生地７を付加することにより耳栓本体１の誤食誤飲防止を図ることができる。
又、紐部６と生地７を共に糸８で取り付けることにより紐部６が生地７から外れることを防ぐことができる。
【００３４】
図５は乳幼児用耳栓の全体図で有る。
耳栓本体１は丸形ではない角形の有る錐頭円柱や四角柱で設ける細状突起部２と丸形ではない角形の有る円錐台で設ける袋部３で形成されると共に袋部３のそれぞれの側端より紐部６で連結し、乳幼児Ｃの肌に優しいガーゼ等の生地７を取り巻き、糸８で取り付けることにより、紐部６と生地７は共に乳幼児Ｃの指や手、又は腕に巻き付くことを防ぎ、耳栓本体１と紐部６の誤食誤飲防止を図ることができるよう形成している。
又、紐部６の中央部に設けられる留め具９は平坦で形成することにより乳幼児Ｃがうつ伏せになった際には胸やお腹の辺りで留め具９の膨らみによる痛みを感じることを防ぎ、丸形ではない角形の有る四角柱で形成することにより乳幼児Ｃの口腔内に留め具９が入り込んだ場合に備えて喉の奥深くまで過度に入り込まなく又、取り出しやすくすることができるよう形成している。
又、留め具９にデナトニウムベンゾエイトの苦味物質４を塗布することにより乳幼児Ｃの口腔内に留め具９が入り込んだ場合に備えて瞬時に強烈な苦みを感じることができ吐き出しやすくなり、気道確保用の通気口５を複数空けることにより乳幼児Ｃの口腔内に留め具９が入り込んだ場合に備えて空気の通る道を確保し、窒息しないようにすることができるよう形成している。
【符号の説明】
【００３５】
１    耳栓本体
２    細状突起部
３    袋部
４    苦味物質
５    通気口
６    紐部
７    生地    
８    糸
９    留め具
Ｃ    乳幼児
Ｃａ  乳幼児の耳
Ｃｂ  左右両耳
Ｃｃ  外耳道
Ｃｄ  外耳道口
Ｈ    大人の指先
Ｈａ  大人の親指
【要約】
【課題】本発明は乳幼児専用の遮音耳栓による誤食誤飲防止の安全対策の徹底を図る課題を解決する。
【解決手段】乳幼児Ｃの左右両耳Ｃｂの外耳道Ｃｃに挿入される細状突起部２と、前記細状突起部２と一体型に設けられる左右一対の袋部３と、この左右一対の袋部３のそれぞれの側端より互いに連結する紐部６と、この紐部６を取り巻く生地７と、紐部６と生地７を取り付ける糸８と、この連結する紐部６の中央部に設けられる留め具９とで有することを特徴とする。
【選択図】  図５【図１】
0005457581.tif 000002
【図２】
0005457581.tif 000003
【図３】
0005457581.tif 000004
【図４】
0005457581.tif 000005
【図５】
0005457581.tif 000006